(57)【要約】【課題】空間の雰囲気を崩すことなく、空間の照明を行い、かつ小型化、意匠性に富んだ照明器具を提供する。【解決手段】半導体発光素子からなる光源部７と、前記光源部７に電力を供給する電源部８と、下面に前記光源部７及び上面に前記電源部８を保持する平面状の保持体６と、前記保持体６の略中央部に、天井に取り付けられた被取付け部材１と前記保持体６を取り付けるアダプタ部４とを有する照明器具２において、前記電源部８が前記保持体６の上面側に配置され前記電源部８の厚さが前記被取付け部材１の厚さ以下であることに特徴を有する照明器具２。【選択図】図１
2013161649.tif 000002
【特許請求の範囲】
【請求項１】
半導体発光素子からなる光源部と、
前記光源部に電力を供給する電源部と、
下面に前記光源部及び上面に前記電源部を保持する平面状の保持体と、
前記保持体の略中央部に、天井に取り付けられた被取付け部材に前記保持体を取り付けるアダプタ部と
を有する照明器具において、
前記電源部が前記保持体の上面側に配置され前記電源部の厚さが前記被取付け部材の厚さ以下であることに特徴を有する照明器具。
【請求項２】
請求項１記載の照明器具において、
前記保持体を挟むことで前記光源部と前記電源部が重なり合うこと
を特徴とする照明器具。
【請求項３】
請求項１または請求項２記載の照明器具において、
前記電源部が、
前記保持体に直付けされていること
を特徴とする照明器具。
【請求項４】
請求項１〜３のいずれか１項記載の照明器具において、
前記光源がＬＥＤからなること
を特徴とする照明器具。
【発明の詳細な説明】
【技術分野】
【０００１】
本発明は、半導体発光素子を光源として用いるのに好適な天井取付け照明器具に関する。
【背景技術】
【０００２】
住宅等における室内照明に用いられる照明器具として、従来、白熱電球、蛍光灯等の光源を備える照明器具が用いられている。近年、発光ダイオード（以下ＬＥＤという）の高輝度化に伴い、従来の光源に代えて、小型、低消費電力、長寿命等の特性を有するＬＥＤを光源として備える照明器具が数々提案されている。
【０００３】
小型化を図る目的で、具体的には、光源部と電源部と取付け部が重なり合わないように配置されているものがある。（特許文献１）
【先行技術文献】
【特許文献】
【０００４】
【特許文献１】特開２０１１−１３４６８４号公報
【発明の概要】
【発明が解決しようとする課題】
【０００５】
このように、光源部と電源部と取付け部が重なり合わないため、照明器具を薄型化できる。しかし、光源部と電源部と取付け部が平面的に並ぶため、照明器具の直径が大きくなり、照明器具自体が大型化する欠点がある。
【０００６】
本発明は、上記背景技術に鑑みてなされたものであり、照明器具をなお薄型化かつ小型化することを目的とする。
【課題を解決するための手段】
【０００７】
照明器具が半導体発光素子からなる光源部と、前記光源部に電力を供給する電源部と、下面に前記光源部及び上面に前記電源部を保持する平面状の保持体と、前記保持体の略中央部に、天井に取り付けられた被取付け部材に前記保持体を取り付けるアダプタ部とを有する照明器具において、前記電源部が前記保持体の上面側に配置され前記電源部の厚さが前記被取付け部材の厚さ以下であることに特徴を有する照明器具。
【０００８】
また、前記照明器具は、前記保持体を挟むことで前記光源部と前記電源部が重なり合うことを特徴とする照明器具であってもよい。
【０００９】
また、前記照明器具は、前記電源部が、前記保持体に直付けされていることを特徴とする照明器具であってもよい。
【００１０】
また、前記照明器具において、前記光源がＬＥＤからなることを特徴とする照明器具であってもよい。
【発明の効果】
【００１１】
本発明によれば、電源部の高さを被取付け部の厚さよりも小さくすることにより、照明器具全体を薄型化することができる。
【図面の簡単な説明】
【００１２】
【図１】本発明における実施形態１の照明器具の構成図である。
【図２】実施形態１の照明器具における電源部周辺の拡大図である。
【図３】実施形態１の照明器具における下面図である。
【図４】実施形態１の照明器具における上面図である。
【図５】本発明における実施形態２の照明器具の構成図である。
【発明を実施するための形態】
【００１３】
（実施形態１）
以下、図１〜４は、実施形態１の照明器具２を示している。照明器具２は室内空間における天井１４に備え付けられている被取付け部材１に対し、着脱可能な照明器具である。
【００１４】
この被取付け部材１はＡＣ電源１５と接続されている。なお、本実施形態の照明器具２は天井取付け型のシーリングライトであり、常に、電源部８側を上面（天井側）として取り付けられる。
照明器具２は被取付け部材１に照明器具２を装着するためのアダプタ部４を有する。このアダプタ部４は、円柱形状を有している。着脱機構としては、たとえば、被取付け部材１の引掛刃係合穴（図示せず）と係り合う引掛刃（図示せず）があり、被取付け部材１の引掛刃係合穴と引掛刃を係り合わせることで、上下方向への力では着脱されず、かつ、左右へのズレも発生しない。被取付け部材１とアダプタ部４を着脱する際は、アダプタ部４に設けられている解除片（図示せず）を、解除することで、着脱が可能となる。このように、被取付け部材１とアダプタ部４を係り合わせることにより、電気的、機械的に接続される。被取付け部材１およびアダプタ部４は既に汎用されているものを用いている。そのことから、被取付け部材１およびアダプタ部４における詳細説明は省略する。
【００１５】
シャーシ６は光源部７及び電源部８を保持する保持体である。シャーシ６はアダプタ部４によって被取付け部材１に取付けられている。シャーシ６は、中央部に円穴を有する円板状または角型状であり、アルミニウム等の金属製である。シャーシ６は、前記円穴の周囲に同心をなして、アダプタ部４を有している。
【００１６】
被取付け部材１にアダプタ部４を取り付けた後、シャーシ６の円穴とアダプタ部４の位置を整合させ、シャーシ６をアダプタ部４の側から押し込むことにより、シャーシ６が、アダプタ部４の引掛刃３と係り合い固定され、被取付け部材１および天井１４に取付けられる。この取付けられた状態において、シャーシ６の略中央にアダプタ部４が位置する。また、シャーシ６をアダプタ部４から取り外す際は、アダプタ部４に設けられている、解除片５を、円の中心方向へ力を加えることで引掛刃３が解除され、着脱が可能となる。
【００１７】
シャーシ６には電源部８が保持されている。この電源部８は、電源装置１８と電源部カバー９からなり、シャーシ６の上面に保持されている。また電源装置１８は金属製の電源部カバー９によって覆われており、電源装置１８はシャーシ６に直付けされている。電源部カバー９の形状は、シャーシ６側の面のみが開口されている箱型である。ここで、電源装置１８をシャーシ６へ直付けさせる構造を、図２を用いて説明する。電源装置１８は止め具２１によってシャーシ６と接合されており、かつ、シャーシ６と電源装置１８の間には絶縁シート２０を有している。この絶縁シート２０は電気絶縁用のシートが用いられている。シャーシ６が金属からなる場合は、止め具２１はロッキングサポートを用いてもよい。
また、電源部８の厚さは、被取付け部材１の厚さ以下に設定されている。電源部８の厚さを、被取付け部材１の厚さよりも薄い厚さに設定することで、電源部８による余計な厚みが発生せず、照明器具２の天井１４からの突出高さを低減することができ、薄型化することができる。（図１参照）
また、電源部カバー９は、熱伝導体からなり、例えば、金属製であり、放熱体を兼ねてい
る。電源部カバー９はシャーシ６とネジ等により固定することで直付けされている。直付けされていることから、電源装置１８で生じた熱を電源部カバー９およびシャーシ６へ伝導させ放熱させることができる。
なお、シャーシ６上には、リモートコントローラ等の信号送信部からの信号を受信する信号受信部（図示せず）を設けてもよい。その他、シャーシ６には、透光性カバー１１が装着可能となっている。
また、光源部７に半導体発光素子すなわちＬＥＤなどを用いていることから、発光寿命が長く、光源部７を密閉状態にしても問題はない。この結果、透光性カバー１１を取り外し不可とすることで、光源部７の周辺に虫等が侵入することを防止することができ、清掃が不要となり、使用者の利便に資する。なお、密閉状態として、光源部７を覆う透光性カバー１１の脱着機構が不要となることからも構造を簡略化することができ、コスト低減することができる。
光源部７は、シャーシ６の天井１４とは逆側に平面状に設けられている。光源部７は複数のＬＥＤモジュール１６からなっており、ＬＥＤモジュール１６は、板状のＬＥＤ基板１９と、このＬＥＤ基板１９に実装された複数のＬＥＤチップ１７とＬＥＤチップ１７の光出射方向に設けられた拡散レンズ（図示せず）と、入力端子及び出力端子とを備えてなる。ＬＥＤチップ１７は小型の光源であるから、光源部分の厚みを薄くすることができる。その結果、天井１４からの照明器具２の突出高さを低減することができ、照明器具２自体を薄型化することができる。
また、光源部７を蛍光灯ではなく、ＬＥＤを用いたことにより、透光性カバー１１の表面を平らにすることができ、光源部分の厚みを薄くすることを可能とした。なお、光源部７に用いる発光素子は、有機ＥＬ発光素子であってもよい。有機ＥＬ発光素子を用いることで、面発光という特徴をいかし、より一層の薄型化が望めるものである。
また、拡散レンズをＬＥＤチップ１７の光出射方向に設けていることから、ＬＥＤチップ１７からの光は、拡散レンズによって広範囲に拡散することができ、透光性カバー１１とＬＥＤチップ１７との間隔を小さくしても、均一な発光が可能となる。従って、光源部７にＬＥＤ光源を用いることにより、均一な発光を確保しつつ、照明器具２を薄型化することが可能となる。また、光源部７の形状が浮き出ることなく、均一な発光をさせることができるから、デザイン性の良い照明器具２を提供することができる。
また、シャーシ６に対しＬＥＤモジュール１６を固定することで、ＬＥＤモジュール１６で発生した熱がシャーシ６に伝達され、シャーシ６に伝達された熱が、照明器具２の外側に伝達されることから、発生した熱を空気へ放散することができる。なお、電源部８も同様に、金属製の電源部カバー９で覆っていることより、電源部８で発生した熱が、シャーシ６へと伝達され、熱が空気へ放散することができる。
また、電源部８を照明器具２の中心を基準とし、略対象に二つ装着している。これは、電源部８から光源部７への電力供給を２系統に分割するためであってもよいし、２つの電源部８を設けることで、電源部８の一つ当たりの大きさを小さくし、照明器具２の薄型化を図るためであってもよい。なお、電源部８を左右に設けることで、照明器具２の左右の重量が均等に保たれ、照明器具２のバランスを保つことができる。
また、照明器具２を設置した際のバランスを保つため、弾性部材１３が備えられている。この弾性部材１３はバランスを保つためのものであり、スポンジ、バネ等の弾性を有するものを用いてもよい。
【００１８】
ＬＥＤモジュール１６は、シャーシ６の床面側に周方向に略等配をなして固定している。電源部８には、交流電源から供給された電流を整流する整流回路及び、整流された電圧を所定の電圧に変換するトランス等の電子部品が実装されている。電源部８からは、給電線１０により光源部７に電力が給電される。さらにシャーシ６には、透光性、光拡散性を有する透光性カバー１１が装着される。
ここまで述べたように、電源部８を光源部７の上、すなわち天井１４側に設けることによって、従来のシーリングライト（特許文献１図５）と同等の照度もしくは、より高い照度
を維持しつつ、小面積化を図ることが可能となる。その上、電源部８と光源部７が異なる平面に存在することから、光源部７がシャーシ６の略中央まで設置可能となり、発光部分の面積の拡大化を図ることが可能となる。かつ、照明器具の中心付近の暗がりをも改善することが可能となり、照明器具２の美観および照度を確保することができる。
（実施形態２）
実施形態１で示した構造と同構造の部分の説明は省略する。本実施形態では、図５に示すように、電源部８は電源装置１８と電源部ケース１２からなっている。電源装置１８を電源部ケース１２により四方を囲い込むことによって、放熱性をより高める効果を発揮している。その上、電源部ケース１２を一部品として扱うことができることから、電源装置１８の故障等により取替えが必要な事態が生じた際であっても、電源部ケース１２単体での交換が可能となり、修理の際における費用・手間を省くことが可能である。交換可能な部品として取り扱うため、電源部ケース１２はネジ等によってシャーシ６に取り付けられている。
そして、電源部ケース１２は、熱伝導体からなり、例えば、金属製であり、放熱体を兼ねている。そのことから、電源部ケース１２をシャーシ６に直付けすることで、電源部ケース１２内の熱がシャーシ６へと伝導し、電源部８の放熱効果がある。
【００１９】
また、電源部８が図５のように配置されており、電源部８の厚さが被取付け部材１の厚さと略同一厚さにすることで、照明器具２を天井１４に設置した際の安定性を担保することができる。そのことから、実施形態１の弾性部材１３やバネ等を省略することができる。省略することによって、照明器具２の重量を軽減し、落下防止、落下した際の危険性を低減することができる。
【００２０】
このように実施することにより実現できる照明器具２によって、従来であれば大きな領域を専有してまうのに対し、最小限の領域に収めることが可能となる。
【産業上の利用可能性】
【００２１】
本発明は、小型化かつ意匠性に優れた照明器具を提供するものであって、室内空間において美観性を崩すことなく、限られた空間内を照明する際に活用することができる。
【符号の説明】
【００２２】
１  被取付け部材
２  照明器具
３  引掛刃
４  アダプタ部
５  解除片
６  シャーシ（保持体）
７  光源部
８  電源部
９  電源部カバー
１０  給電線
１１  透光性カバー
１２  電源部ケース
１３  弾性部材
１４  天井
１５  ＡＣ電源
１６  ＬＥＤモジュール
１７  ＬＥＤチップ
１８  電源装置
１９  ＬＥＤ基板
２０  絶縁シート
２１  止め具
【図１】
2013161649.tif 000003
【図２】
2013161649.tif 000004
【図３】
2013161649.tif 000005
【図４】
2013161649.tif 000006
【図５】
2013161649.tif 000007